(57)【要約】【課題】枕を干すことができ、枕の狭持を安定させ、変形しにくく、大型化重量化を招かず、片手で操作できる布団ばさみを提供する。【解決手段】布団Ｆを挟むために全体が略逆Ｕ字状に湾曲した布団狭持部３と、枕Ｍを狭持するための枕狭持部５とを有する。このうち、布団狭持部３を構成するための一対の一条のアームのそれぞれの一端が第１回動部１７により連結される。この第１回動部１７に設けられたバネ１９は、略逆Ｕ字が閉じる方向に付勢する。枕狭持部５を構成するために、一対のアームのうち一方のアームの他端が、略逆Ｕ字状が形成される平面と略直交する平面内で、二条に分かれて二股部１５を形成する。二股部１５の両先端にそれぞれ設けられる第２回動部２１によって、Ｕ字形部分２０の下両端が回動可能に連結される。この第２回動部２１に設けられたバネ１９は、Ｕ字形部分２０が前記一方のアームの外側に接する方向へ閉じるよう付勢する。【選択図】図1
2006230794.tif 000002
【特許請求の範囲】
【請求項１】
布団を挟むために全体が略逆Ｕ字状に湾曲した形状を有する布団狭持部と、枕を狭持するための枕狭持部とを有する布団ばさみにおいて、
前記布団狭持部を構成するための一対の一条のアームと、これらのアームの一端が回動可能に連結される第１回動部と、この第１回動部に設けられ前記略逆Ｕ字が閉じる方向に付勢するバネと、前記枕狭持部を構成するため前記一対のアームのうち一方のアームの他端が、前記略逆Ｕ字状が形成される平面と略直交する平面内で、二条に分かれた二股部と、この二股部の両先端にそれぞれ設けられる第２回動部と、これら第２回動部によって両端が回動可能に連結されるＵ字形部分と、この第２回動部に設けられ前記Ｕ字形部分が前記一方のアームの外側に接する方向へ閉じるよう付勢するバネと、を有することを特徴とする枕干し機能付きワンタッチ布団ばさみ。
【請求項２】
前記二股部は、前記一方のアームの他端に、下方に向かって形成されることを特徴とする請求項１に記載の枕干し機能付きワンタッチ布団ばさみ。
【発明の詳細な説明】
【技術分野】
【０００１】
この発明は、枕を干すことができる機能が付いた布団ばさみの構造に関する。
【背景技術】
【０００２】
一般的な布団ばさみは、ベランダの手摺や物干し竿などに、二つ折りにしてかけられた布団が風などで落下しないように、上から挟むものである。構造は、全体が略逆Ｕ字状に湾曲した形状を有し、一対のアームが、バネで付勢された回動部により連結されている。  布団ばさみに、更に枕を干すことができる機能が付いたものも、例えば下記のように複数が提案されている。
【特許文献１】特開昭６３−５９９２
【特許文献２】特開平８−２９９６８８  これらは共に、全体が略逆Ｕ字状に湾曲し上から布団を挟む布団狭持部うち、Ｕ字状の一方の部分に枕を下から狭持するための枕狭持部が形成される。
【０００３】
このうち特許文献１の技術は、布団狭持部のみならず枕狭持部も一条の構造を有する。この布団狭持部などは、一対のアームが、バネの付勢力を有する回動部により連結されて構成される。バネの付勢力を有する回動部により、大きな回動により、繰り返して、布団を挟んだり枕を狭持したりする十分な機能を有する。
【０００４】
これに対し、特許文献２の技術は、布団狭持部のみならず枕狭持部も二条の構造を有する。よって枕は安定して狭持される。布団狭持部や枕狭持部は、推測されるに針金などの材料からなり、針金などの弾性力により狭持を行う。
【発明の開示】
【発明が解決しようとする課題】
【０００５】
特許文献１の技術では、布団を挟む部分については布団が内側から物干し竿などで支持されているので、上から挟む部分については一条構造でも安定するが、枕は周囲を一条構造で支えられることになり、狭持が不安定である。
これに対し、特許文献２の技術では、二条の構造を有するので狭持は安定するものの、針金などの材料は、変形しやすく、変形してしまうと、布団を挟んだり枕を狭持したりする十分な機能が失われる。  
このため、特許文献１と特許文献２とを合体させ、枕の狭持を安定させ、変形しにくい布団ばさみの構造を得るのが望ましい。
【０００６】
しかしながら、仮に、特許文献１と特許文献２とを合体させようとすると、全てを二条構造にすることになると考えるのが自然であり、よって、バネの付勢力を有する４つの回動部が必要であり、布団ばさみの大型化重量化を招く。また、全てを二条構造にすることによって、片手で二条構造をつかむことができず、したがって片手で布団を挟む操作を行うことが困難である。
【０００７】
この発明は、以上の課題を解決するためになされたもので、枕を干すことができる機能が付き、枕の狭持を安定させ、変形しにくく、大型化重量化を招かず、片手で操作できる布団ばさみを提供することを目的とする。
【課題を解決するための手段】
【０００８】
以上の課題を解決するために、第一発明は、布団を挟むために全体が略逆Ｕ字状に湾曲した形状を有する布団狭持部と、枕を狭持するための枕狭持部とを有する布団ばさみにおいて、前記布団狭持部を構成するための一対の一条のアームと、これらのアームの一端が回動可能に連結される第１回動部と、この第１回動部に設けられ前記略逆Ｕ字が閉じる方向に付勢するバネと、前記枕狭持部を構成するため前記一対のアームのうち一方のアームの他端が、前記略逆Ｕ字状が形成される平面と略直交する平面内で、二条に分かれた二股部と、この二股部の両先端にそれぞれ設けられる第２回動部と、これら第２回動部によって両端が回動可能に連結されるＵ字形部分と、この第２回動部に設けられ前記Ｕ字形部分が前記一方のアームの外側に接する方向へ閉じるよう付勢するバネと、を有することを特徴とする枕干し機能付きワンタッチ布団ばさみである。
【０００９】
第二発明は、さらに、前記二股部は、前記一方のアームの他端に、下方に向かって形成されることを特徴とする枕干し機能付きワンタッチ布団ばさみである。
【発明の効果】
【００１０】
第一、又は第二発明によれば、布団狭持部のみならず枕狭持部とを有するので、枕を干すことができるのみならず、この枕狭持部は、一方のアームの外側へ向かって枕を外側から、二条構造であるＵ字形部分が押圧して狭持することになるので、枕の狭持を安定させることができる。
【００１１】
また、バネの付勢力を有する第１回動部により、一対のアームの大きな回動が可能になるので、繰り返して布団を挟む十分な機能を有する。同様に、バネの付勢力を有する第２回動部により、Ｕ字形部分の大きな回動が可能になるので、繰り返して枕を狭持する十分な機能を有する。よって、針金などの弾性力により狭持を行うものではないので、変形しにくい。
【００１２】
また、布団狭持部は一条構造であるので、全てを二条構造にする場合に比べ、大型化重量化を招かない。
また、一条構造のアームを片手でつかむことができ、したがって片手で操作を行うことができる。
第二発明によれば、更に、枕狭持部は、一方のアームの外側のみならず二股部へ向かって、枕を外側から、二条構造であるＵ字形部分が押圧して狭持することになるので、枕は下方部分を、二条構造である二股部とＵ字形部分によって狭持される。よって、枕の狭持を、より安定させることができる。
【発明を実施するための最良の形態】
【００１３】
この発明の実施形態を、図１から図９に示す。
図１（Ａ）に示すように、この実施形態の布団ばさみ１は、布団Ｆを挟むために全体が略逆Ｕ字状に湾曲した形状（図３参照）を有する布団狭持部３と、枕Ｍを狭持するための枕狭持部５とを有する。
布団狭持部３を構成するために、長さが異なる長短の湾曲した一対のアーム７、９が用いられる。各アーム７、９は、一条の構造を有する。断面はコの字状であり、コの字の開放部分を、湾曲形状の外に向けて配置される。短アーム７は、全体が浅いＵ字を成す。長アーム９は全体が、この短アーム７の浅いＵ字に対向する、浅いＵ字部分１１と、浅いＵ字部分１１の下方に連続する布団押圧部１３と、さらに連続する二股部１５を有する。
【００１４】
布団狭持部３の略逆Ｕ字状の頂部に、両アーム７、９の一端が回動可能に連結される第１回動部１７が設けられる。この第１回動部１７には、略逆Ｕ字が閉じる方向に付勢するバネ１９（図４）が設けられる。
長アーム９の他端は、二条に分かれ二股部１５を形成し、枕狭持部５の一部を構成する。この二股部１５は、長アーム９の長手方向へ沿って、下方に向かって形成され布団Ｆに接する。また、二股部１５の形成は、布団狭持部３の略逆Ｕ字状が形成される平面と略直交する平面内で、行われる。よって、布団狭持部３と枕狭持部５は立体的な配置構成を有する。
【００１５】
この二股部１５の両先端には、それぞれ第２回動部２１が設けられる。枕狭持部５の大きな部分を構成するＵ字形部分２０は、両下端部がこれら第２回動部２１によって、二股部１５に回動可能に連結される。この第２回動部２１に設けられるバネ１９（図４）によって、Ｕ字形部分２０が、長アーム９の外側に接する方向へ、閉じるよう付勢される。
【００１６】
Ｕ字形部分２０は、布団ばさみ１全体の右側面から見た形状は逆Ｕ字形（図９）であり、正面から見た形状は直線ではなく、枕Ｍを包むように湾曲している（図５）。
【００１７】
「実施形態の効果」
（１）この実施形態によれば、布団狭持部３のみならず枕狭持部５とを有するので、枕Ｍをも干すことができる。
（２）また、この枕狭持部５は、長アーム９の外側へ向かって枕Ｍを外側から、二条構造であるＵ字形部分２０が押圧して狭持することになるので、特許文献１の技術に比べ、枕Ｍの狭持を安定させることができる。
【００１８】
このとき、二股部１５は、下方に向かって形成されているので、布団狭持部３の働きで布団Ｆに押圧され、よって姿勢が安定する。そして、この安定した二股部１５の両先端に設けられた第２回動部２１により、Ｕ字形部分２０が安定して回動するので、Ｕ字形部分２０の姿勢と動きが安定する。この安定したＵ字形部分２０は、さらに、枕Ｍの押圧を行う部分の構造が二条構造であり、よって、この押圧によりＵ字形部分２０と布団Ｆや長アーム９との間で狭持される枕Ｍは、安定して狭持される。
【００１９】
（３）また、バネ１９の付勢力を有する第１回動部１７により、一対のアームの大きな回動が可能になる。よって、特許文献２の技術に比べ、繰り返して布団Ｆを挟む十分な機能を有する。同様に、バネ１９の付勢力を有する第２回動部２１により、Ｕ字形部分２０の大きな回動が可能になる。よって、特許文献２の技術に比べ、繰り返して枕Ｍを狭持する十分な機能を有する。
【００２０】
よって、特許文献２のように針金などの弾性力により狭持を行うものではないので、変形しにくい。
（４）また、布団狭持部３は一条構造であるので、全てを二条構造にする場合に比べ、大型化重量化を招かない。また、全てを二条構造にすると回動部は合計４つ必要であるが、この実施形態では３つで済み、軽量化などが図れる。
（５）また、一条構造のアームを片手でつかむことができ、したがって片手で操作を行うことができる。
すなわち、短アーム７を片手でつかみ（図２）長アーム９の下端を、ベランダの手摺２３にかけられた布団Ｆの反対側に引っ掛けて、短アーム７をやや引っ張りながら長アーム９の下端を下方に滑らせるようにすれば、布団狭持部３で布団Ｆを挟むことができる（図１（Ｂ））。その後、Ｕ字形部分２０を回動させ枕Ｍを狭持させる（図３）。
【００２１】
（６）更に、枕Ｍは、二条構造であるＵ字形部分２０により押圧され、長アーム９の一条構造の外側のみならず二股部１５の二条構造へ押圧される。このため、枕Ｍは下方部分を、二条構造である二股部１５とＵ字形部分２０によって狭持される。よって、枕Ｍの狭持を、より安定させることができる。
【００２２】
「他の実施形態」
以上の実施形態では、二股部１５は、長アーム９の他端に下方に向かって形成されるが、他の実施形態では、水平方向に向かって、あるいは上方に向かって、形成されるものであっても良い。
【図面の簡単な説明】
【００２３】
【図１】この発明の一実施形態にかかる枕干し機能付きワンタッチ布団ばさみを示すもので、（Ａ）は全体斜視図、（Ｂ）は使用状態を示す斜視図である。
【図２】図１の布団ばさみを片手で操作している状態を示す説明図である。
【図３】図２で操作が終わった状態を示す説明図である。
【図４】図１の回動部を示す断面の拡大図である。
【図５】図１の布団ばさみの通常状態の正面図である。
【図６】図５の平面図である。
【図７】図５の底面図である。
【図８】図５の左側面図である。
【図９】図５の右側面図である。
【符号の説明】
【００２４】
１…布団ばさみ、３…布団狭持部、５…枕狭持部、７…短アーム、９…長アーム、１１…Ｕ字部分、１３…布団押圧部、１５…二股部、１７…第１回動部、１９…バネ、２１…第２回動部。
【図１】
2006230794.tif 000003
【図２】
2006230794.tif 000004
【図３】
2006230794.tif 000005
【図４】
2006230794.tif 000006
【図５】
2006230794.tif 000007
【図６】
2006230794.tif 000008
【図７】
2006230794.tif 000009
【図８】
2006230794.tif 000010
【図９】
2006230794.tif 000011